(57)【要約】【課題】　データ放送をより効果的に表示することができる受信装置及び放送装置を提供する。【解決手段】　受信装置は、第１データが格納される第１データ格納部５１と、第１データの画面上の表示位置の情報である第１データ表示位置情報が格納される第１データ表示位置情報格納部５２と、第２データが格納される第２データ格納部５４と、第２データの画面上の表示位置の情報である第２データ表示位置情報が格納される第２データ表示位置情報格納部５５と、上記各格納部に格納された第１データ、第１データ表示位置情報、第２データ、及び第２データ表示位置情報に基づいて、画面の表示指示をする表示指示制御部とを備える。【選択図】図２
2004129310.tif 000002
【特許請求の範囲】
【請求項１】
　少なくとも一つの第１データが格納される第１データ格納部と、
　前記第１データの画面上の表示位置の情報である第１データ表示位置情報が格納される第１データ表示位置情報格納部と、
　少なくとも一つ以上の第２データが格納される第２データ格納部と、
　前記第２データの画面上の表示位置の情報である第２データ表示位置情報が格納される第２データ表示位置情報格納部と、
　前記第１データ格納部に格納された第１データ、前記第１データ表示位置情報格納部に格納された第１データ表示位置情報、前記第２データ格納部に格納された第２データ、及び前記第２データ表示位置情報格納部に格納された第２データ表示位置情報に基づいて、画面の表示指示をする表示指示制御部とを備えた受信装置。
【請求項２】
　第１データの識別子と第２データの識別子で構成される対応情報が格納される対応情報格納部をさらに備える請求項１記載の受信装置。
【請求項３】
　第１データの属性を示す情報である属性情報を格納する属性情報格納部さらに備え、
　前記表示指示制御部は、前記属性情報格納部に格納された属性情報に基づき、画面の表示指示をすることを特徴とする請求項１または請求項２記載の受信装置。
【請求項４】
　前記表示指示制御部は、前記属性情報格納部に格納された属性情報に基づいて、第１データを表示するかどうかを決定する決定手段を有することを特徴とする請求項３記載の受信装置。
【請求項５】
　前記第１データ格納部には、複数の第１データが格納され、
　前記表示指示制御部は、前記属性情報格納部に格納された属性情報に基づいて、前記第１データ格納部に格納された複数の第１データから画面に表示する第１データを選択する選択手段を有する請求項３記載の受信装置。
【請求項６】
　前記表示指示制御部は、前記属性情報格納部に格納された属性情報に基づいて、第１データが表示される時の背景の色を変更する色変更手段を有する請求項３記載の受信装置。
【請求項７】
　前記表示指示制御部は、前記属性情報に基づいて、第１データが有する文字のフォントを変更するフォント変更手段を有する請求項３記載の受信装置。
【請求項８】
　前記表示指示制御部は、
　個人を識別する情報である個人情報を取得する個人情報取得手段と、
　個人情報が格納される個人情報格納手段と、
　前記個人情報格納手段に格納されている個人情報と前記個人情報取得手段で取得した個人情報とを照合する個人情報照合手段と、
　前記個人情報照合手段による照合の結果に基づき画面の表示指示をする表示指示手段とを有することを特徴とする、請求項１記載の受信装置。
【請求項９】
　前記個人情報格納手段には、複数の個人情報が格納されることを特徴とする請求項８記載の受信装置。
【請求項１０】
　請求項１記載の受信装置の第１データ格納部に格納される第１データ、第１データ表示位置情報格納部に格納される第１データ表示位置情報、第２データ格納部に格納される第２データ、第２データ表示位置情報格納部に格納される第２データ表示位置情報の少なくとも一つを送信する、放送装置。
【発明の詳細な説明】
【技術分野】
【０００１】
　本発明は、受信装置及び放送装置に関し、例えばＢＳデジタル放送に好適な受信装置及び放送装置に関する。
【背景技術】
【０００２】
　２０００年１２月にわが国で開始されたＢＳデジタル放送においては、本来のＴＶ放送のみならず、番組と連携した、あるいは独立のデータ放送が行われている。
【０００３】
　データ放送の表示方式としては、例えば図１に示すように、ＴＶ放送の画面２の周囲に、データ放送の画面４をＬ字状に配置して同時に表示するなど、ＴＶ放送の画面２とデータ放送の画面４とを完全に分離し、重ならないように配置する画面構成となっている。
【０００４】
　また、ＴＶ放送画面内に、ニュース速報、気象情報など、番組と独立の字幕を入れるスーパーインポーズもあったが、画面上隅や左隅など、限られた固定領域内に表示する画面構成となっている。
【発明の開示】
【発明が解決しようとする課題】
【０００５】
　しかし、ＴＶ番組の内容と連携したデータ放送を放送したい場合、従来の画面構成では、データ放送の画面が固定位置に表示されるため、番組と繋がり深く見せることができない。そのため、データ放送の面白さや有効性を、十分に訴求することが困難である。
【０００６】
　また、ＢＳデジタル放送では、ＴＶ番組と連携するデータ放送の画面を表示することにより、プッシュ型サービスを行うことが可能となるが、その場合、データ放送の画面をどのユーザーにも画一的に表示したのでは、プッシュ型サービスの効果を十分に得ることができない。
【０００７】
　したがって、本発明が解決しようとする技術的課題は、データ放送をより効果的に表示することができる受信装置及び放送装置を提供することである。
【課題を解決するための手段】
【０００８】
　本発明は、上記技術的課題を解決するために、以下の構成の受信装置を提供する。
【０００９】
　受信装置は、第１データ格納部と、第１データ表示位置情報格納部と、第２データと、第２データ表示位置情報格納部と、表示指示制御部とを備える。前記第１データ格納部は、少なくとも一つの第１データが格納される。前記第１データ表示位置情報格納部は、前記第１データの画面上の表示位置の情報である第１データ表示位置情報が格納される。前記第２データ格納部は、少なくとも一つ以上の第２データが格納される。前記第２データ表示位置情報格納部は、前記第２データの画面上の表示位置の情報である第２データ表示位置情報が格納される。表示指示制御部は、前記第１データ格納部に格納された第１データ、前記第１データ表示位置情報格納部に格納された第１データ表示位置情報、前記第２データ格納部に格納された第２データ、及び前記第２データ表示位置情報格納部に格納された第２データ表示位置情報に基づいて、画面の表示指示をする。
【００１０】
　上記構成において、例えば、第１データはデータ放送の文字コード（テキストデータ）であり、第２データはＴＶ放送の映像データであり、表示指示制御部により、ＴＶ放送の画面内にデータ放送の画面が重なるように表示し、データ放送をより効果的に表示することができる。
【００１１】
　好ましくは、第１データの識別子と第２データの識別子で構成される対応情報が格納される対応情報格納部をさらに備える。
【００１２】
　上記構成において、対応情報格納部に格納された対応情報を参照することにより、第１データと第２データを対応付けることができるので、表示される画像を合成することが容易となる。
【００１３】
　好ましくは、第１データの属性を示す情報である属性情報を格納する属性情報格納部さらに備える。前記表示指示制御部は、前記属性情報格納部に格納された属性情報に基づき、画面の表示指示をする。
【００１４】
　上記構成によれば、属性情報に応じて、第１データを表示することができる。
【００１５】
　好ましくは、前記表示指示制御部は、前記属性情報格納部に格納された属性情報に基づいて、第１データを表示するかどうかを決定する決定手段を有する。
【００１６】
　上記構成によれば、例えば使用者の属性と第１データの属性情報とを比較し、使用者に応じて第１データを表示することができる。
【００１７】
　好ましくは、前記第１データ格納部には、複数の第１データが格納される。前記表示指示制御部は、前記属性情報格納部に格納された属性情報に基づいて、前記第１データ格納部に格納された複数の第１データから画面に表示する第１データを選択する選択手段を有する。
【００１８】
　上記構成によれば、複数の第１データから、例えば使用者の属性に応じて第１データを選択し、表示することができる。
【００１９】
　好ましくは、前記表示指示制御部は、前記属性情報格納部に格納された属性情報に基づいて、第１データが表示される時の背景の色を変更する色変更手段を有する。
【００２０】
　上記構成によれば、第１データの属性情報に基づいて、第１データを表示する時の背景の色を適宜に設定することができる。
【００２１】
　好ましくは、前記表示指示制御部は、前記属性情報に基づいて、第１データが有する文字のフォントを変更するフォント変更手段を有する。
【００２２】
　上記構成によれば、第１データの属性情報に基づいて、第１データを表示する時のフォントを適宜に設定することができる。
【００２３】
　好ましくは、前記表示指示制御部は、個人を識別する情報である個人情報を取得する個人情報取得手段と、個人情報が格納される個人情報格納手段と、前記個人情報格納手段に格納されている個人情報と前記個人情報取得手段で取得した個人情報とを照合する個人情報照合手段と、個人情報照合手段による照合の結果に基づき画面の表示指示をする表示指示手段とを有する。
【００２４】
　上記構成によれば、使用者を特定することができるので、使用者に応じて第１データを表示することが可能である。
【００２５】
　好ましくは、前記個人情報格納手段には、複数の個人情報が格納される。
【００２６】
　上記構成によれば、１台の受信装置を複数人が使用することが可能であり、その場合において、個々の使用者に応じて第１データを表示することができる。
【００２７】
　また、本発明は、前記受信装置の第１データ格納部に格納される第１データ、第１データ表示位置情報格納部に格納される第１データ表示位置情報、第２データ格納部に格納される第２データ、第２データ表示位置情報格納部に格納される第２データ表示位置情報の少なくとも一つを送信する放送装置を、提供する。
【発明を実施するための最良の形態】
【００２８】
　以下、本発明の一実施形態に係る受信装置及び放送装置について、図２〜図８を参照しながら説明する。
【００２９】
　図５のシステム構成図に示すように、受信装置３４及び放送装置３０は、ＢＳデジタル放送に用いる。
【００３０】
　受信装置３４は、放送局の放送装置３０から送信されたデータを、通信衛星３２を介して受信する。受信装置３４は、受信した放送ストリーム６から直ちに、あるいは一旦記録媒体４０に記録し、後から読み出して、画像データを作成し、画像表示装置３８に送出する。
【００３１】
　受信装置３４は、インターネット４２を介してサイト４４の情報を取得し、画像表示装置３８に送出できるようになっている。受信装置３４は、使用者の個人情報が格納された個人情報格納手段３５と、使用者の指紋を検出する個人情報取得手段３６とを備える。受信装置３４は、リモコン３７で操作することにより、画像表示装置３８の表示を切り換えることができる。
【００３２】
　ＢＳデジタル放送で送受信される放送ストリーム６には、図５に模式的に示したように、データ放送７と、ＴＶ放送８を含む。データ放送７とＴＶ放送８とは、同時に多重化して放送されても、異なる時間に放送されてもよい。
【００３３】
　データ放送７は、所定の言語（例えば、ＢＭＬ）で記述され、文字コードのような単純な文字情報（テキストデータ）である第１データ７ｂと、第１データを画面に表示する位置に関する第１データ表示位置情報７ｃと、第１データの識別子７ａ、第１データを表示する対象者の年齢や性別などの第１データの属性を示す属性情報７ｄとを含む。
【００３４】
　ＴＶ放送８は、番組の映像データである第２データ８ｂと、番組の画面上において映像を表示する位置に関する第２データ表示位置情報８ｃと、第２データの識別子８ａとを含む。
【００３５】
　図６に、受信装置３４の基本構成を示す。
【００３６】
　受信装置３４は、放送ストリーム６を受信する受信部３４ａと、受信部３４ａに接続され、記録媒体４０へのデータの記録や読み出しを制御する記録媒体制御部３４ｂと、受信部３４ａ及び記録媒体制御部３４ｂに接続され、データを一時的に格納するデータ格納部３４ｃと、データ格納部３４ｃに格納されたデータを読み出し、画像データを作成して画像表示装置３８に送出する表示指示制御部と、インターネット４２を介して外部のサイト４４に接続する通信部３４ｅと、を含む。
【００３７】
　受信装置３４は、リモコン３７の操作により、データ放送の第１データと、ＴＶ放送の第２データを、受信部３４ａまたは記録媒体制御部３４ｂから読み込んで、データ格納部３４ｃに一旦、格納する。表示指示制御部３４ｄは、データ格納部３４ｃに格納されたデータに基づき、ＴＶ放送の第２データの画像内に、データ放送の第１データが第１データ表示位置情報で指定された位置に表示されるように、画面データを合成し、画像表示装置３８に送出する。
【００３８】
　詳しくは、データ格納部３４ｃは、受信部３４ａ及び記録媒体制御部３４ｂから送出されたデータを格納するため、図７に示すように、第１データ７ｂが格納される第１データ格納部５１と、第１データ表示位置情報７ｃが格納される第１データ表示位置情報格納部５２と、第１データの属性情報７ｄが格納される属性情報格納部５３と、第２データ８ｂが格納される第２データ格納部５４と、第２データ表示位置情報８ｃが格納される第２データ表示位置情報格納部５５と、第１データの識別子７ａと第２データの識別子８ａで構成される対応情報が格納される対応情報格納部５６とを含む。
【００３９】
　表示指示制御部３４ｄは、個人情報格納手段３５と、個人情報取得手段３６と、個人情報格納手段３５及び個人情報取得手段３６に接続された個人情報照合手段６６と、データ格納部３４ｃ及び個人情報格納手段３５に接続された選択部６０と、選択部６０に接続された画像合成部５４と、画像合成部５４で作成された画像データを画像表示装置３８に送出する表示指示部６４を含む。
【００４０】
　個人情報格納手段３５には、複数の使用者について、それぞれの属性情報（年齢、性別、興味のある分野など）と指紋データなどが格納されるメモリである。個人情報照合手段６６は、個人情報取得手段３６で検出した指紋データと、個人情報格納手段３５に格納された指紋データとを照合し、比較する比較器であり、個人情報取得手段３６で指紋データを検出した使用者を特定する。特定した使用者について、個人情報格納手段３５に格納されている属性情報は、選択部６０に送出される。
【００４１】
　選択部６０は、データ格納部３４ｃから、第２データ、第２データ表示位置情報、及び第２データに対応する第１データの属性情報を読み出す。選択部６０は、個人情報格納手段３５から受け取った使用者の属性情報と第１データの属性情報とを比較し、第１データを表示するか否かを決定する。すなわち、請求項４記載の決定手段あるいは請求項５記載の選択手段として機能する。表示する場合には、データ格納部３４ｃから、第１データ及び第１データ表示位置情報を読み出す。選択部６０は、データ格納部３４ｃから読み出したデータを画像合成部６２に送出する。
【００４２】
　画像合成部６２は、選択部６０からのデータに基づいて、画像データを作成する。第１データ及び第１データ表示位置情報を受け取ったときには、第２データ（ＴＶ放送）の画面に、第１データ（データ放送）の画面を第１データ表示位置情報で指定された位置に重なるように、画像データを合成する。
【００４３】
　画像合成部６２は、色変更手段６２ａとフォント変更手段６２ｂとを含む。
【００４４】
　色変更手段６２ａは、第１データの属性情報に基づいて、第１データが表示される時の背景の色を変更する。フォント変更手段６２ｂは、第１データの属性情報に基づいて、第１データが表示される時のフォントを変更する。例えば、若年層を対象とする第１データについては、鮮やかな背景の色や躍動的なフォントを使用し、年配の使用者に対しては、背景と文字とのコントラストが高く、文字が大きくて読み易いようにする。
【００４５】
　表示指示部６４は、画像合成部６２からの画像データと通信部３４ｅからの画像データとを画像表示装置３８に送出する画像データ送出部６４ａと、第１データのうちＵＲＬデータを格納するＵＲＬ格納部６４ｂと、リモコン３８からの信号を受け付ける信号受付部６４ｃと、制御部６４ｄとを含む。制御部６４ｄは、画像データ送出部６４ａ、ＵＲＬ格納部６４ｂ、信号受付部６４ｃ、選択部６０、画像合成部６２、個人情報照合手段６６、通信部３４ｅに接続され、信号を送受信する。これにより、画像表示装置８０の画面表示を、リモコン３８の操作により切り替えることができる。
【００４６】
　例えば、信号受付部６４ｃがリモコン３７からリンク先へのジャンプ指示信号を受け付けると、制御部６４ｄは、データ放送に対応するサイトのＵＲＬをＵＲＬ格納部６４ｂから読み出し、通信部３４ｅによりそのサイトに接続し、サイトの情報を読み出し、その情報を画像データ送出部６４ａから画像表示装置に送出するように、制御する。
【００４７】
　図２は、画像表示装置３８に表示される画面構成の第１実施例を示す。
【００４８】
　ＴＶ放送の画面１０内に、データ放送の画面１２，１４が重なるように表示される。両者が重なる部分については、データ放送の画面が優先して表示される。データ放送の画面の表示位置は、第１データ表示位置情報により適宜に設定することができる。ＴＶ放送は、その画面上にデータ放送の画面が表示されることを前提に、制作される。
【００４９】
　データ放送の画面１２，１４により、番組に関連した情報を提供することができる。例えば、旅行についてのＴＶ放送において、データ放送により旅行商品（ツアーやホテル／旅館情報）を提供することができる。また、インタビューやトーク番組で、出演者の持ち物や話題に上がった物に関する情報（問い合わせ先など）を提供することができる。
【００５０】
　リモコン３７の操作により、データ放送の画面１２，１４の表示、非表示を切り替えることができる。また、データ放送の画面１２、１４に対応するサイトがあれば、リモコン３７の操作により、そのサイトの表示に切り替えることができる。
【００５１】
　図３及び図４は、画像表示装置３８に表示される画面構成の第２実施例を示す。
【００５２】
　ＴＶ放送の画面２０は同じでも、図３では、データ放送Ａ，Ｂの画面２２，２４が表示され、図４では、データ放送Ｂ，Ｃの画面２４，２６が表示される。
【００５３】
　表示するデータ放送は、例えば使用者の属性／プロファイルに応じて選択部６０により決定される。これにより、データ放送が対象とする使用者層にのみ、そのデータ放送の画面を提供することができる。また、データ放送の表示態様は、第１データの属性（例えば、対象とする使用者層）に応じて変更される。
【００５４】
　これにより、使用者に応じてデータ放送の見せ方を変えるプッシュ型の情報提供が可能となる。
【００５５】
　また、データ放送の内容だけ変更することで、放送日によりデータ放送の内容を変更してもよい。ＴＶ放送の制作には時間がかかるが、データ放送の内容は放送直前まで自由に変更することができるので、放送日の最新情報をデータ放送に含めるなど、柔軟な画面を提供することができる。
【００５６】
　以上説明したように、データ放送の画面を、ＴＶ放送の画面内に配置することにより、データ放送をより効果的に表示することができる。
【００５７】
　なお、本発明は上記実施形態に限定されるものではなく、その他種々の態様で実施可能である。
【００５８】
　上記実施形態は、ＢＳデジタル放送について説明したが、例えば、地上波デジタル放送においても、同様に、ＴＶ放送の画面内にデータ放送の画面を表示することが可能である。
【図面の簡単な説明】
【００５９】
【図１】従来の画像表示を示す説明図
【図２】第１実施例の画像表示の説明図
【図３】第２実施例の画像表示の説明図
【図４】図３とは別の画像表示の説明図
【図５】本発明の一実施形態に係る受信装置及び放送装置を用いるＢＳデジタル放送システムの全体構成図
【図６】図５の受信装置の基本構成図
【図７】図６のデータ格納部の構成図
【図８】図６の表示指示制御部の構成図
【符号の説明】
【００６０】
　３０　放送装置
　３４　受信装置
　３４ｄ　表示指示制御部
　３５　個人情報格納手段
　３６　個人情報取得手段
　５１　第１データ格納部
　５２　第１データ表示位置情報格納部
　５３　属性情報格納部
　５４　第２データ格納部
　５５　第２データ表示位置情報格納部
　５６　対応情報格納部
　６０　選択手段（決定手段、表示指示手段）
　６２ａ　色変更手段
　６２ｂ　フォント変更手段
　６６　個人情報照合手段
【図１】
2004129310.tif 000003
【図２】
2004129310.tif 000004
【図３】
2004129310.tif 000005
【図４】
2004129310.tif 000006
【図５】
2004129310.tif 000007
【図６】
2004129310.tif 000008
【図７】
2004129310.tif 000009
【図８】
2004129310.tif 000010